(57)【要約】【課題】空調ダクト内に設置されるイオン発生装置に運転表示ランプを設けたものにおいて、簡便な手段で運転表示ランプの光を室内から視認しやすくする。【解決手段】イオン発生装置親機２とイオン発生装置子機３は上下二段で離間して対向配置され、子機ケース３１には、イオン発生装置親機２の運転表示ランプ２９の取付け部の対向する位置に反射板３９が取付けられた。【選択図】図１
2010276311.tif 000002
【特許請求の範囲】
【請求項１】
空調ダクト内部の吹出口近傍に設置される空調ダクト用イオン発生装置において、
平面内に開口を有する平板型の親機ケース、該親機ケースの開口内部に取付けられ該開口から臨む放電面よりプラスイオンとマイナスイオンを発生させる親機イオン発生素子、前記ケース内部に収容され前記イオン発生素子を駆動する駆動回路、運転状態を表示する運転表示ランプを有するイオン発生装置親機と、
平面内に開口を有する平板型の子機ケース、該子機ケースの開口内部に取付けられ該開口から臨む放電面よりプラスイオンとマイナスイオンを発生させる子機イオン発生素子を有し、前記イオン発生装置親機の駆動回路に接続されて該駆動回路により前記子機イオン発生素子を駆動するイオン発生装置子機と、
前記イオン発生装置親機と前記イオン発生装置子機は上下二段で離間して対向配置され、前記子機ケースには、前記イオン発生装置親機の運転表示ランプの取付け部の対向する位置に反射板が取付けられたことを特徴とする空調ダクト用イオン発生装置。
【請求項２】
前記親機ケースに、前記運転表示ランプの光を遮光可能な遮光板を設けたことを特徴とする請求項１に記載の空調ダクト用イオン発生装置。
【発明の詳細な説明】
【技術分野】
【０００１】
本発明は、空調ダクト内部の吹出口近傍に設置されて室内にイオンを供給するイオン発生装置に関する。
【背景技術】
【０００２】
近年、省エネルギーの追求により、高気密・高断熱住宅が増加傾向にあり、当該高気密・高断熱住宅に使用する空調ダクト装置の需要が増えてきている。また従来より、ホテルやオフィスビルでは１箇所に設置した空調機器で空調した空気を、空調装置から各室に配管した空調ダクトを介して各室を空調する集中空調システムが導入されている。このような空調ダクト装置や空調ダクトを用いた空調システムでは、室内の壁や天井には、空調ダクトの吹出口が設けられ、そこから空調された空気が室内に導入されるようになっている。
【０００３】
このようなシステムにおいて、空調ダクト内に、心身をリラックスさせる作用があると言われるマイナスイオンを発生させるイオン発生装置を設け、イオン発生装置から発生された室内にマイナスイオンを送出する構成を備えたものが提案されている（特許文献１参照）。この場合、室内からイオン発生装置の運転状態を視認できれば視覚的にもマイナスイオンの効果を実感できて良い。そこで、イオン発生装置に運転表示ランプを備えることが考えられる。
【先行技術文献】
【特許文献】
【０００４】
【特許文献１】特開２００２−２７７０１０号公報（図２４）
【発明の概要】
【発明が解決しようとする課題】
【０００５】
しかしながら、空調ダクト内にイオン発生装置が設置されているので、吹出口の位置や見る方向により運転表示ランプの光が室内から見えにくくなる問題がある。
【０００６】
本発明は、上記問題に鑑み、空調ダクト内に設置されるイオン発生装置に運転表示ランプを設けたものにおいて、簡便な手段で運転表示ランプの光を室内から視認しやすくすることを目的とする。
【課題を解決するための手段】
【０００７】
上記目的を達成するために本発明は、空調ダクト内部の吹出口近傍に設置される空調ダクト用イオン発生装置において、平面内に開口を有する平板型の親機ケース、該親機ケースの開口内部に取付けられ該開口から臨む放電面よりプラスイオンとマイナスイオンを発生させるイオン発生素子、前記ケース内部に収容され前記イオン発生素子を駆動する駆動回路、運転状態を表示する運転表示ランプを有するイオン発生装置親機と、平面内に開口を有する平板型の子機ケース、該子機ケースの開口内部に取付けられ該開口から臨む放電面よりプラスイオンとマイナスイオンを発生させるイオン発生素子を有し、前記イオン発生装置親機の駆動回路に接続されて該駆動回路により前記イオン発生素子を駆動するイオン発生装置子機と、前記イオン発生装置親機と前記イオン発生装置子機は上下二段で離間して対向配置され、前記子機ケースには、前記イオン発生装置親機の運転表示ランプの取付け部の対向する位置に反射板が取付けられたことを特徴とする。
【０００８】
この構成によれば、イオン発生装置親機と異なる高さに位置するイオン発生装置子機の子機ケースに取付けられた反射板により、イオン発生装置親機の運転表示ランプの光が反射されるようになる。このため、運転表示ランプの光が室内から視認しやすくなる。例えば、空調ダクトの吹出口が人の身長より高い位置にあって、イオン発生装置親機が空調ダクト内の下方に設置されたような場合でも、空調ダクト用イオン発生装置の運転状態を室内から容易に視認できるようになる。
【０００９】
また、前記親機ケースに、前記運転表示ランプの光を遮光可能な遮光板を設ければ、運転表示ランプの光が目障りになるときは、運転表示ランプの光を遮光板により遮光することが可能である。
【発明の効果】
【００１０】
本発明によると、子機ケースに取付けられた反射板により、イオン発生装置親機と異なる高さで運転表示ランプの光が反射されるようになる。このため、運転表示ランプの光が室内から視認しやすくなる。例えば、空調ダクトの吹出口が人の身長より高い位置にあって、イオン発生装置親機が空調ダクト内の下方に設置されたような場合でも、空調ダクト用イオン発生装置の運転状態を室内から容易に視認することができるようになる。
【図面の簡単な説明】
【００１１】
【図１】本発明の一実施形態に係る空調ダクト用イオン発生装置を示す斜視図
【図２】同上イオン発生装置の空調ダクト内での設置態様を表す概略正面図
【図３】同上イオン発生装置の空調ダクト内での設置態様を表す概略側面図
【図４】イオン発生装置親機の分解斜視図
【図５】同上親機の斜視図
【図６】同上親機とペアをなすイオン発生装置子機の分解斜視図
【図７】増設用イオン発生装置子機の分解斜視図
【図８】同上増設用イオン発生装置子機の斜視図
【図９】同上増設用イオン発生装置子機とペアをなすイオン発生装置子機の斜視図
【図１０】イオン発生装置ペアの結合構造の第２の実施形態を示す斜視図
【図１１】イオン発生装置ペアの結合構造の第２の実施形態を示す断面図
【図１２】イオン発生装置ペアの結合構造の第３の実施形態を示す斜視図
【図１３】イオン発生装置ペアの結合構造の第３の実施形態を示す断面図
【図１４】イオン発生装置ペアの結合構造の第４の実施形態を示す斜視図
【図１５】イオン発生装置ペアの結合構造の第４の実施形態を示す断面図
【図１６】イオン発生装置ペアの結合構造の第４の実施形態に用いられるストッパーを示す斜視図
【発明を実施するための形態】
【００１２】
以下に本発明の実施形態を図面を参照して説明する。図１は本発明の実施形態に係る空調ダクト用イオン発生装置を示す斜視図、図２は同イオン発生装置の空調ダクト内での設置態様を表す概略正面図、図３は同イオン発生装置の空調ダクト内での設置態様を表す概略側面図である。この空調ダクト用イオン発生装置１は、ホテル客室などに既存の空調ダクト１８内部の吹出口１８ａ近傍に設置されるものである。
【００１３】
図１〜図３に示すように、空調ダクト用イオン発生装置１は、イオン発生装置親機（以下、単に「親機」と称する）２と、親機２に接続されるイオン発生装置子機（以下、単に子機と称する）３、４と、子機３に接続される子機５、子機４に接続される子機４'と、子機５に接続される子機５'とによって構成される。
【００１４】
空調ダクト用イオン発生装置１は、離間して上下二段で対向する４対のイオン発生装置ペア（親機２−子機３、子機４−子機５、子機４'−子機５'）を、空調ダクト１８の通流方向に直交する方向に並べて配置したものとなっている。これらイオン発生装置ペアは、上下に長さ調節可能な一対のスライド柱１０，１０で結合されており、下段のイオン発生装置に対して上段のイオン発生装置の高さを調節できるようになっている。
【００１５】
＜親機２＞
図４、図５はイオン発生装置親機の分解斜視図、斜視図である。図４、図５に基づいて親機２の構成について説明する。親機２は、外枠をなす平板型で平面形状が略長方形の樹脂製のケース２１内に、イオン発生素子２４、駆動回路（不図示）が表面に印刷された回路基板２５を収容している。ケース２１は、無底箱型の上ケース２２と板状の下ケース２３とから成る。
【００１６】
下ケース２３には、上ケース２２内部に適所に複数形成されたボス（不図示）に対応してビス孔２３１が貫設されている。下ケース２３は、上ケース２２の底縁の内側に嵌合した状態で固定されるため、親機１を下方から見ない限り下ケース２３が外観に現われることはない。下ケース２３の下面には、両面テープＲの一面が張り付けられている。
【００１７】
上ケース２２の上面側には、矩形のポケット２２１が形成されている。ポケット２２１には、その空洞に対応した形状のイオン発生素子２４が装着される。ポケット２２１の開口部後縁に沿って、イオン発生素子２４の上面に係合する３つのフック２２１ａが設けられている。上ケース２２の上面には、ポケット２２１を挟んで長手方向の両端に、一対の柱受け台２２２，２２２が一体で凸設されている。柱受け台２２２には、スライド柱１０、１０を嵌着するための弾丸型の溝２２２ａが凹設される。
【００１８】
上ケース２２の上面２２ａには、リセットボタン２６及び運転ボタン２７が設けられている。リセットボタン２６及び運転ボタン２７は、回路基板２５上の対応した位置に設けられるタクトスイッチ（不図示）を動作させるものである。リセットボタン２６の長押し（例えば、３秒以上）操作によりイオン発生素子２５の（誤）動作をリセットして初期状態に戻すことができ、運転ボタン２７の押圧操作によってイオン発生素子２５の駆動を入切できるようになっている。
【００１９】
上ケース２２の前面２２ｂ（図４、５の紙面手前の面）には、コネクタを接続するための端子を露出させる端子窓２２４Ａ〜２２４Ｄが開口している。特に、端子窓２２４Ｄは、ポケット２２１の開口部前縁の略中央に位置していて上枠が存在しない窓になっている。端子窓２２４Ｄは幅広に形成され、下枠の一部から弾性を有するフック２２１ｂが延設されている。フック２２１ｂは、イオン発生素子２４の装着時に、前方へ弾性変形させることにより、イオン発生素子２４をポケット２２１内に挿入することができる。挿入後、フック２２１ｂを元の位置に弾性復帰させれば、フック２２１ａと共にイオン発生素子２４の上面に係合するので、イオン発生素子２４を確実に固定することができる。同様の作業でイオン発生素子２４をポケット２２１から取り外すこともできる。つまり、イオン発生素子２４は、電極などが劣化して寿命が来たとき、容易に新しいものに交換できるようになっている。
【００２０】
上ケース２２は、リセットボタン２６、運転ボタン２７の前方に下り勾配の斜面エリア２２ｃが形成されている。斜面エリア２２ｃは、透孔２２３及び遮光板２２７が設けられる。遮光板２２７は、回動軸２２７ａにより回動可能に枢支され、必要に応じて手動で回動させれば透孔２２３を覆い隠してＬＥＤ２９を遮光することができる。例えば、人によってＬＥＤ２９の光が目障りになることがあるが、そのようなときはＬＥＤ２９の光を遮光板２２７により遮光すればよい。
【００２１】
上ケース２２の前面２２ｂの下縁部には、前方に突出する、ケーブルのガイド用の舌片２２５が長手方向全体に延設されている。舌片２２５の前端縁には、適所に鉤型のフック２２６が設けられている。フック２２６は、舌片２２５上にガイドされるケーブルを捩れないように固定するものである。舌片２２５及びフック２２６により、空調ダクト１８内を通流する空気流によりケーブルが切断されたり、コネクタが抜けたりするおそれがなくなり、イオン発生装置１の安全性が向上する。
【００２２】
イオン発生素子２４の表面には、正電圧の印加によって放電して空気中にプラスイオンを発生するプラスイオン発生部２４１と、負電圧の印加によって放電して空気中にマイナスイオンを発生するマイナスイオン発生部２４２と、が形成されている。
【００２３】
プラスイオン発生部２４１には正電圧が印加され、放電によるプラズマ領域で、空気中の水分子が電気的に分解され、主として水素イオンＨ+が生成する。そして、生成した水素イオンの周りに空気中の水分子が凝集し、安定した電荷が正のクラスターイオンＨ+（Ｈ2Ｏ）mが形成される。
【００２４】
マイナスイオン発生部２４２には負電圧が印加され、放電によるプラズマ領域で、空気中の酸素分子が電気的に分解され、主として酸素イオンＯ2-が生成する。そして、生成した酸素イオンの周りに空気中の水分子が凝集し、安定した電荷が負のクラスターイオンＨ+（Ｈ2Ｏ）mが形成される。ここで、ｍ、ｎは任意の整数である。
【００２５】
本明細書中で「プラスイオン」というときは正のクラスターイオンを意味し、「マイナスイオン」というときは負のクラスターイオンを意味するものとする。なお、正負のクラスターイオンの生成は、飛行時間分解型質量分析法により確認している。
【００２６】
プラスイオン及びマイナスイオンは、同時に空気中に放出されると、空気中に浮遊する微生物の表面で凝集してこれらを取り囲む。そして、瞬間的に、プラスイオンとマイナスイオンが結合して酸化力の非常に高い活性種である［・ＯＨ］（水酸基ラジカル）やＨ2Ｏ2（過酸化水素）を微生物の表面上で凝集生成して、化学反応により微生物の表面のタンパク質を分解してその働きを抑制する。そのほか、上記のようにして生成する水酸基ラジカルや過酸化水素は、空気中の臭い成分を分解する作用があることも分かっている。従って、プラスイオン及びマイナスイオンを発生して空調ダクト１８の吹出口１８ａから吐出することにより、居室内に浮遊するウイルスの不活化し、細菌やカビ類を死滅させ、或いは臭いを除去することができる。
【００２７】
イオン発生素子２４の長手方向の一側面には、コネクタの差し込み口を有する入力端子２４３が設けられている。入力端子２４３は、上ケース２２に設けられた端子窓２２４Ｄに位置し、コネクタの差し込み口が端子窓２２４Ｄを通してケース２１の外部に臨んでいる。出力端子２４３には、回路基板２５（駆動回路）とイオン発生素子２４の接続用のケーブル６の両端のコネクタ６１、６１の一方が嵌着される。
【００２８】
回路基板２５は、４つのチップ型の端子２８Ａ〜２８ＣとＬＥＤ（運転表示ランプ）２９が実装されている。３つの端子は、１つの入力端子２８Ａと、３つの出力端子２８Ｂ、２８Ｃ、２８Ｄである。入力端子２８Ａ及び出力端子２８Ｃは上ケース２２に設けられた端子窓２２４Ａに位置し、出力端子２８Ｃは上ケース２２に設けられた端子窓２２４Ｂに位置し、出力端子２８Ｄは上ケース２２に設けられた端子窓２２４Ｃに位置し、各端子のコネクタの差し込み口が端子窓２２４Ａ〜２２４Ｃを通してケース２１の外部に臨んでいる。回路基板２５には、上ケース２２内部に適所に複数形成されたボス（不図示）に対応してビス孔２５１が貫設されている。回路基板２５は、ビスＢを用いて下ケース２３と共締めで、上ケース２２のボス（不図示）の下端に固定される。
【００２９】
入力端子２８Ａには、ＡＣ／ＤＣアダプタ１５の出力側ケーブル１５１の末端に取付けられるコネクタ１５２が嵌着される。出力端子２８Ｂには、回路基板２５（駆動回路）とイオン発生素子２４の接続用のケーブル６の両端のコネクタ６１、６１の他方が嵌着される。出力端子２８Ｃには、親機２とペアをなす子機３との接続用のケーブル７の両端のコネクタ７１、７１の一方が嵌着される。イオン発生素子２４の入力端子２４３には、出力端子２８Ｄには、子機４の増設時に、子機４から延びるケーブル４８の末端のコネクタ４８１が嵌着される。
【００３０】
親機２の動作を説明する。入力端子２８Ａに入力された（ＤＣ）電力は、回路基板２５上に形成された駆動回路（不図示）やＬＥＤ２９に入力される。駆動回路（不図示）の出力は、ケーブル６を介してイオン発生素子２５に入力される。これによって、イオン発生素子２５が駆動され、上記の原理によってプラスイオンとマイナスイオンが空気中に発生する。同時にＬＥＤ２９が点灯する。イオン発生素子２５の動作は、リセットボタン２６、運転ボタン２７の操作に基づき駆動回路（不図示）によって制御される。
【００３１】
また、親機２の駆動回路（不図示）の出力は、出力端子２８Ｂ、２８Ｃからケーブルを介して子機３、４に入力され、さらに子機３、４を経由して子機４'、５'に入力され、さらに子機４'、５'を経由して子機４''、５''に入力される。
【００３２】
＜親機２とペアをなす子機３＞
図６は親機２とペアをなすイオン発生装置子機３の斜視図である。図６に基づいて子機３の構成について説明する。子機３は、図１、図２に示すように、親機２の上方に対向配置されるイオン発生装置である。そのため、子機３のケース３１の長手寸法を親機２と等しくする必要がある。この場合、金型コストを考慮すると、親機２と子機３のケース２１，３１は、同一の金型から樹脂成型される共通のケースとするのが望ましい。但し、子機３では、リセットボタンや運転ボタンや透孔は不要であり、端子窓も不要なものがあるため、親機２と区別するためにこれらを保護テープＴで隠蔽しておくのが良い。子機３は、図２に表された親機２の上下及び左右を反転した姿勢で、親機２の上方に前後左右を揃えて対向配置される。
【００３３】
子機３は、親機２の駆動回路からの電力の入力に基づいてイオン発生素子３５を駆動する従のイオン発生装置である。従って、子機３の回路基板（不図示）に駆動回路は形成されず、タクトスイッチやＬＥＤも実装されない。
【００３４】
イオン発生素子３４の構成は、上記で説明したものと同様である。イオン発生素子３４の長手方向の一側面には、コネクタの差し込み口を有する入力端子３４３が設けられている。入力端子３４３は、ケース３１（下ケース３２）に設けられた端子窓３２４Ｄに位置し、コネクタの差し込み口が端子窓５２３Ｂを通してケース５１の外部に臨んでいる。
【００３５】
回路基板（不図示）には、チップ型の入力端子３８Ａ及び出力端子３８Ｂ、３８Ｃが実装されている。入力端子３８Ａはケース３１に設けられた端子窓３２４Ａに位置し、出力端子３８Ｂはケース３１に設けられた端子窓３２４Ｂに位置し、出力端子３８Ｃはケース３１に設けられた端子窓３２４Ｃに位置し、各端子のコネクタの差し込み口が端子窓３２４Ａ〜３２４Ｃを通してケース３１の外部に臨んでいる。
【００３６】
イオン発生素子３４の入力端子３４３には、回路基板５５から延びるケーブル５７の末端のコネクタ５７１が嵌着される。入力端子３８Ａには、親機２との接続用のケーブル７の両端のコネクタ７１、７１の他方が嵌着される。出力端子３８Ｂには、回路基板とイオン発生素子３４の接続用のケーブル８の両端のコネクタ８１、８１の他方が嵌着される。出力端子３８Ｃには、子機５の増設時に、子機５の回路基板から延びるケーブル５８の末端のコネクタ５８１が嵌着される。
【００３７】
入力端子３８Ａに入力された（ＤＣ）電力は、イオン発生素子３４に入力される。これによって、イオン発生素子３４が駆動され、上記の原理によってプラスイオンとマイナスイオンが空気中に発生する。イオン発生素子３４の動作は、親機２のリセットボタン２６、運転ボタン２７の操作に基づき駆動回路（不図示）によって一括制御される。
【００３８】
子機３のケース３１には、親機２のＬＥＤ２９と上下で対向する箇所に、反射板３９が張り付けられ、ＬＥＤ２９の光を反射して部屋から視認しやすいようにしている。ここで、反射板３９が鏡で出来ていれば、運転表示ランプの光を鮮明に反射することができる。また、反射板３９を金属たとえばステンレス製にすれば安価に出来る。また、反射板３９が凸面鏡で出来ていれば、より広範囲に反射することができる。さらに、反射板３９が可動できるよう出来ていれば、反射率が最適となる位置に反射板３９を移動できるので効率よく反射板３９の光を反射することができる。
【００３９】
子機３の動作を説明する。親機２の駆動回路（不図示）よりケーブル７を介して入力される電力は、ケーブル８を介してイオン発生素子３５に入力される。これによって、イオン発生素子３５が駆動され、上記の原理によってプラスイオンとマイナスイオンが空気中に発生する。イオン発生素子３５の動作は、親機２のリセットボタン２６、運転ボタン２７の操作に基づき駆動回路（不図示）によって親機２側で一括制御される。
【００４０】
＜増設用子機４＞
図５、図６は増設用イオン発生装置子機の分解斜視図、斜視図である。図５、図６に基づいて子機４の構成について説明する。子機４は、図１に示すように、親機２の側方に増設され、親機２の駆動回路（不図示）からの電力の入力に基づいてイオン発生素子４４を駆動する従のイオン発生装置である。従って、子機４の回路基板４５に駆動回路は形成されず、タクトスイッチやＬＥＤも実装されない。リセットスイッチ、運転スイッチも不要であるため、子機４のケース４１の長手寸法は、親機２や子機３のケースに比べて短く設定されている。なお、子機４'、４''は、子機４と共通の構造である。
【００４１】
子機４は、外枠をなす平板型で平面形状が略長方形の樹脂製のケース４１内に、イオン発生素子４４、駆動回路（不図示）が表面に印刷された回路基板４５を収容している。ケース４１は、無底箱型の上ケース４２と板状の下ケース４３とから成る。
【００４２】
下ケース４３には、上ケース２２内部に適所に複数形成されたボス（不図示）に対応してビス孔４３１が貫設されている。下ケース４３は、上ケース４２の底縁の内側に嵌合した状態で固定されるため、子機４を下方から見ない限り下ケース４３が外観に現われることはない。下ケース４３の下面には、両面テープＲの一面が張り付けられている。
【００４３】
上ケース４２の上面側には、矩形のポケット４２１が形成されている。ポケット４２１には、その空洞に対応した形状のイオン発生素子４４が装着される。ポケット４２１の開口部後縁に沿って、イオン発生素子４４の上面に係合する３つのフック４２１ａが設けられている。上ケース４２の上面には、ポケット４２１を挟んで長手方向の両端に、一対の柱受け台４２２，４２２が一体で凸設されている。柱受け台４２２には、スライド柱１０、１０を嵌着するための弾丸型の溝４３２ａが凹設される。
【００４４】
上ケース４２の前面４２ｂ（図５の紙面手前の面）には、端子のコネクタ差し込み口を露出させる端子窓４２３Ａ、４２３Ｂ、４２３Ｃと、ケーブルを通すための通孔４２４Ａ、４２４Ｂが開口している。端子窓４２３Ｂは、ポケット２２１の開口部前縁の略中央に位置していて上枠が存在しない窓になっている。端子窓４２３Ｂは幅広に形成され、下枠の一部から弾性を有するフック４２１ｂが延設されている。図７における端子窓４２３Ｃは子機３では不要（ダミー）なため、図８に示すように保護テープＴで隠蔽しておくのが良い。フック４２１ｂは、イオン発生素子４４の装着時に、前方へ弾性変形させることにより、イオン発生素子４４をポケット４２１に挿入することができる。挿入後、フック４２１ｂを元の位置に弾性復帰させれば、フック４２１ａと共にイオン発生素子２４の上面に係合するので、イオン発生素子４４を確実に固定することができる。
【００４５】
上ケース４２の前面４２ｂの下縁部には、前方に突出する、ケーブルのガイド用の舌片４２５が長手方向全体に延設されている。舌片４２５の前端部には、適所に鉤型のフック部４２６が設けられている。フック４２６は、舌片４２５上にガイドされるケーブルを捩れないように固定するものである。舌片２２５及びフック２２６により、空調ダクト１８内を通流する空気流によりケーブルが切断されたり、コネクタが抜けたりするおそれがなくなり、イオン発生装置１の安全性が向上する。
【００４６】
イオン発生素子４４の構成は、上記で説明したものと同様である。イオン発生素子４４の長手方向の一側面には、コネクタの差し込み口を有する入力端子４４３が設けられている。入力端子４４３は、上ケース４２に設けられた端子窓４２３Ｂに位置し、コネクタの差し込み口が端子窓４２３Ｂを通してケース４１の外部に臨んでいる。
【００４７】
回路基板４５には、チップ型の出力端子４６が実装されるとともに、２つのケーブル４７，４８の先端が半田付けされている。出力端子４６は、上ケース４２に設けられた端子窓４２３Ａに位置し、コネクタの差し込み口が端子窓４２３Ａを通してケース４１の外部に臨んでいる。ケーブル４７、４８は、上ケース４２に設けられた通孔４２４Ａ、４２４Ｂを通してケース４１の外部に引き出される。
【００４８】
イオン発生素子４４の入力端子４４３には、回路基板４５から延びるケーブル４７の末端のコネクタ４７１が嵌着される。回路基板４５から延びるケーブル４８の末端のコネクタ４８１は、親機２の出力端子２８Ｄ（図５参照）に嵌着される。回路基板４５上の出力端子４６には、追加の子機４'の増設時に、追子機４'の回路基板から延びるケーブル４８の末端のコネクタ４８１が嵌着される。
【００４９】
子機４の動作を説明する。親機２の駆動回路（不図示）よりケーブル４８を介して入力される電力は、ケーブル４７を介してイオン発生素子４４に入力される。これによって、イオン発生素子４４が駆動され、上記の原理によってプラスイオンとマイナスイオンが空気中に発生する。イオン発生素子４５の動作は、親機２のリセットボタン２６、運転ボタン２７の操作に基づき駆動回路（不図示）によって親機２側で一括制御される。
【００５０】
＜子機４とペアをなす増設用子機５＞
図９は子機４とペアをなすイオン発生装置子機５の斜視図である。図９に基づいて子機５の構成について説明する。子機３は、図１に示すように、親機２とペアをなす子機３の側方に増設され、子機４の上方に対向配置されるイオン発生装置である。そのため、子機５のケース５１の長手寸法を子機４と等しくする必要がある。この場合、金型コストを考慮すると、子機４、５のケース４１，５１は、同一の金型から樹脂成型される共通のケースとするのが望ましい。子機５は、図５に表された子機４の上下及び左右を反転した姿勢で、子機４の上方に前後左右を揃えて対向配置される。なお、子機４'、４''とそれぞれペアをなす子機５'、５''は、子機５と共通の構造である。
【００５１】
子機５は、親機２の駆動回路（不図示）から子機３を経由して入力される電力に基づいてイオン発生素子５４を駆動する従のイオン発生装置である。従って、子機５の回路基板（不図示）に駆動回路は形成されず、タクトスイッチやＬＥＤも実装されない。
【００５２】
イオン発生素子５４の構成は、上記で説明したものと同様である。イオン発生素子５４の長手方向の一側面には、コネクタの差し込み口を有する入力端子５４３が設けられている。入力端子５４３は、ケース５１（下ケース５２）に設けられた端子窓５２３Ｂに位置し、コネクタの差し込み口が端子窓５２３Ｂを通してケース５１の外部に臨んでいる。
【００５３】
回路基板（不図示）には、チップ型の出力端子５６が実装されるとともに、２つのケーブル５７，５８の先端が半田付けされている。出力端子５６は、上ケース５２に設けられた端子窓５２３Ａに位置し、コネクタの差し込み口が端子窓５２３Ａを通してケース５１の外部に臨んでいる。ケーブル５７、５８は、上ケース５２に設けられたスリット５２４Ａ、５２４Ｂを通してケース５１の外部に引き出される。図９における右側の端子窓５２３Ｃの半分は子機５では不要（ダミー）なため、同図に示すように保護テープＴで隠蔽しておくのが良い。
【００５４】
イオン発生素子５４の入力端子５４３には、回路基板５５から延びるケーブル５７の末端のコネクタ５７１が嵌着される。回路基板５５から延びるケーブル５８の末端のコネクタ５８１は、子機３の出力端子３８Ｃに嵌着される。なお、出力端子５６には、追加の子機５'の増設時に、子機５'の回路基板から延びるケーブル５８の末端のコネクタ５８１が嵌着される。
【００５５】
子機５の動作を説明する。親機２の駆動回路（不図示）より子機３を経由し、ケーブル５８を介して入力される電力は、ケーブル５７を介してイオン発生素子５４に入力される。これによって、イオン発生素子５４が駆動され、上記の原理によってプラスイオンとマイナスイオンが空気中に発生する。イオン発生素子５４の動作は、親機２のリセットボタン２６、運転ボタン２７の操作に基づき駆動回路（不図示）によって親機２側で一括制御される。
【００５６】
＜イオン発生装置ペアの結合構造の第１の実施形態＞
イオン発生装置ペアの結合構造の第１の実施形態について図４〜図６を用いて説明する。親機２と子機３のイオン発生装置ペア、子機４（４'）（４''）と子機５（５'）（５''）のイオン発生装置ペアは、一対のスライド柱１０、１０で上下二段に結合され、下段のイオン発生装置に対して上段のイオン発生装置がスライド柱１０、１０により高さを調節することができるようになっている。以下、その結合構造について、親機２と子機３のイオン発生装置ペアを例に説明する。子機４（４'）（４''）と子機５（５'）（５''）の結合構造はそれと同じであるので説明を省略する。
【００５７】
図１のように親機２と子機３が上下で対向配置されると、親機２のケース２１と子機３のケース３１にそれぞれ設けられた柱受け台２２２、３２２が上下で対向するようになる。その状態で、スライド柱１０の上端部、下端部が、柱受け台２２２、３２２に設けられた弾丸型の溝２２２ａ、３２２ａに嵌着される。これによって、親機２と子機３が結合される。
【００５８】
スライド柱１０は、親機２の左右一対の柱受け台２２２、２２２に嵌着される固定子１０１、子機３の左右一対の柱受け台３２２、３２２に嵌着されるスライド子１０２、固定子１０１とスライド子１０２を固定するボルト１０３及びナット１０４から構成される。
【００５９】
親機２の左右一対の柱受け台２２２、２２２に設けられる溝２２２ａは、右側が後ろ向きの弾丸型、左側が前向きの弾丸型であり、前後反転の関係にある。他方、子機３の左右一対の柱受け台３２２、３２２に設けられる溝３２２ａは、親機２とは逆の関係であり、右側が前向きの弾丸型、左側が後ろ向きの弾丸型の形状である。
【００６０】
親機２の柱受け台２２２と子機３の柱受け台３２２の溝形状は、スライド柱１０の上端部（上端嵌着部１０２ａ）及び下端部（下端嵌着部１０１ａ）のどちらでも保持することができる形状となっている。このため、親機２と子機３のケース形状を完全同一にすることができる。これにより、金型を共通化することができ、大幅なコストダウン効果を期待することができる。
【００６１】
スライド柱１０の固定子１０１とスライド子１０２は、互いに鏡像の関係にある樹脂成形品（ピース）である。以下、右側に柱受け台２２２、３２２に嵌着されるスライド柱１０を例に説明する。左側の柱受け台２２２、３２２に嵌着されるスライド柱１０については、配向を前後に反転させれば同じであるので説明を省略する。
【００６２】
固定子１０１は、後ろ向きの弾丸型の溝２２２ａに対応した形状の下端嵌着部１０１ａを除き、左側に鎌形部１０１ｂを残して右半分を前端及び上端に掛けて切り欠いた形状である。鎌形部１０１ｂの側面には、縦長の長孔１０１ｃが貫通している。
【００６３】
スライド子１０２は、前向きの弾丸型の溝３２２ａに対応した形状の上端嵌着部１０２ａを除き、右側に鎌形部１０２ｂを残して左半分を前端及び上端に掛けて切り欠いた形状である。鎌形部１０２ｂの側面下部には、丸孔１０２ｃが貫通している。
【００６４】
固定子１０１とスライド子１０２は、鎌形部１０１ｂ、１０２ｂを摺り合わせた状態で組み合わされる。組み合わされたスライド柱１０の断面の形状を流線形（小判型）となるため、風量の低下を極力防ぎ、空調ダクトの本来の目的である冷房能力等に支障を来さないように配慮することができる。
【００６５】
ボルト１０３は、丸穴１０２ｃと長孔１０１ｃに挿通され、先端にナット１０４が嵌合される。このようにして固定子１０１とスライド子１０２は締結される。ボルト１０３とナット１０４の嵌合を緩めれば、固定子１０１とスライド子１０２の締結が解除され、ボルト１０３が長孔１０１ｃ内を移動可能な範囲で固定子１０１に対してスライド子１０２がスライド可能となる。これによって、空調ダクト１８の高さ寸法に合わせて子機３の高さ位置をその範囲内で可変できる。
【００６６】
＜イオン発生装置ペアの結合構造の第２の実施形態＞
イオン発生装置ペアの結合構造の第２の実施形態について図１０、図１１に基づいて説明する。スライド柱１１は、親機２の左右一対の柱受け台２２２、２２２に嵌着される固定子１１１、子機３の左右一対の柱受け台３２２、３２２に嵌着されるスライド子１１２、固定子１１１とスライド子１１２を固定するネジ１１３から構成される。
【００６７】
親機２の左右一対の柱受け台２２２、２２２に設けられる楕円周の溝２２２ｂは、楕円形の線状溝であり、左右の柱受け台に共通の形状である。子機３の左右一対の柱受け台３２２、３２２に設けられる楕円周の溝３２２ｂも、親機２と同一の形状である。
【００６８】
親機２の柱受け台２２２と子機３の柱受け台３２２の溝形状は、スライド柱１１の上端部（上端嵌着部１１２ａ）及び下端部（下端嵌着部１１１ａ）のどちらでも保持することができる形状となっている。このため、親機２と子機２のケース形状を完全同一にすることができる。これにより、金型を共通化することができ、大幅なコストダウン効果を期待することができる。
【００６９】
スライド柱１１の固定子１１１とスライド子１１２は、入れ子の関係にある樹脂成形品（ピース）である。以下、右側に柱受け台２２２、３２２に嵌着されるスライド柱１１を例に説明する。左側の柱受け台２２２、３２２に嵌着されるスライド柱１１については、配向を前後に反転させれば同じであるので説明を省略する。
【００７０】
固定子１１１は、楕円周の溝２２２ｂの外縁に嵌着される楕円筒であり、下端部は嵌着部１１１ａが形成される。楕円の短軸と交差する側面の一方には、縦長の長孔１１１ｂが貫通している。
【００７１】
スライド子１１２は、楕円周の溝３２２ａの外縁に嵌着される楕円筒であり、上端部は嵌着部１１２ａが形成される。楕円の短軸と交差する側面の一方の下部には、ネジ孔１１２ｂが貫通している。
【００７２】
固定子１１１とスライド子１１２は、固定子１１１の空洞部内面にスライド子１１２の外面を摺り合わせた状態で組み合わされる。組み合わされたスライド柱１１の断面の外形は流線形（楕円形）となるため、風量の低下を極力防ぎ、空調ダクト１８の本来の目的である冷房能力等に支障を来さないように配慮することができる。
【００７３】
ネジ１１３は、長孔１１１ｂには挿通された後、ネジ孔１１２ｂに螺合される。このようにして固定子１１１とスライド子１１２は締結される。ネジ１１３をネジ孔１１２ｂから外せば、固定子１１１とスライド子１１２の締結が解除され、ネジ１１３が長孔１１１ｂ内を移動可能な範囲で固定子１１１に対してスライド子１１２がスライド可能となる。これによって、空調ダクト１８の高さ寸法に合わせて子機３の高さ位置をその範囲内で可変できる。
【００７４】
＜イオン発生装置ペアの結合構造の第３の実施形態＞
イオン発生装置ペアの結合構造の第３の実施形態について図１２、図１３に基づいて説明する。スライド柱１２は、親機２の左右一対の柱受け台２２２、２２２に嵌着される固定子１２１、子機３の左右一対の柱受け台３２２、３２２に嵌着されるスライド子１２２、固定子１２１とスライド子１２２を固定するネジ１２３から構成される。
【００７５】
親機２の左右一対の柱受け台２２２、２２２に設けられる楕円形の溝２２２ｃは、左右の柱受け台に共通の形状である。子機３の左右一対の柱受け台３２２、３２２に設けられる楕円周の溝３２２ｃも、親機２と同一の形状である。
【００７６】
親機２の柱受け台２２２と子機３の柱受け台３２２の溝形状は、スライド柱１２の上端部（上端嵌着部１２２ａ）及び下端部（下端嵌着部１２１ａ）のどちらでも保持することができる形状となっている。このため、親機２と子機２のケース形状を完全同一にすることができる。これにより、金型を共通化することができ、大幅なコストダウン効果を期待することができる。
【００７７】
スライド柱１２の固定子１２１とスライド子１２２は、入れ子の関係にある樹脂成形品（ピース）である。以下、右側に柱受け台２２２、３２２に嵌着されるスライド柱１２を例に説明する。左側の柱受け台２２２、３２２に嵌着されるスライド柱１２については、配向を前後に反転させれば同じであるので説明を省略する。
【００７８】
固定子１２１は、楕円形の溝２２２ｃに嵌着される楕円筒であり、下端部は嵌着部１２１ａが形成される。楕円の短軸と交差する側面の一方には、縦長の長孔１２１ｂが貫通している。
【００７９】
スライド子１２２は、楕円形の溝３２２ｃに嵌着される異径二段構造の楕円柱であり、上端端部は大径の嵌着部１２２ａが形成される。スライド子１２２の楕円の短軸と交差する側面の一方の下部には、ネジ孔１２２ｂが貫通している。
【００８０】
固定子１２１とスライド子１２２は、固定子１２１の空洞部内面にスライド子１２２の外面を摺り合わせた状態で組み合わされる。組み合わされたスライド柱１２の断面の外形は流線形（楕円形）であるため、風量の低下を極力防ぎ、空調ダクト１８の本来の目的である冷房能力等に支障を来さないように配慮することができる。
【００８１】
ネジ１１４は、長孔１２１ｂには挿通された後、ネジ孔１２２ｂに螺合される。このようにして固定子１２１とスライド子１２２は締結される。ネジ１１４をネジ孔１１２ｂから外せば、固定子１２１とスライド子１２２の締結が解除され、ネジ１１４が長孔１２１ｂ内を移動可能な範囲で固定子１２１に対してスライド子１２２がスライド可能となる。これによって、空調ダクト１８の高さ寸法に合わせて子機３の高さ位置をその範囲内で可変できる。
【００８２】
＜イオン発生装置ペアの結合構造の第４の実施形態＞
イオン発生装置ペアの結合構造の第４の実施形態について図１４〜図１６に基づいて説明する。スライド柱１３は、親機２の左右一対の柱受け台２２２、２２２に嵌着される固定子１３１、子機３の左右一対の柱受け台３２２、３２２に嵌着されるスライド子１３２、固定子１３１とスライド子１３２を固定するストッパー１３３及び板バネ１３４、スライド子１３２を上方へ付勢する圧縮バネ１３５から構成される。
【００８３】
親機２の左右一対の柱受け台２２２、２２２に設けられる溝２２２ｄは、Ｃ字状の基礎囲う小判形の堀様であり、左右の柱受け台２２２、２２２で互いに線対称な溝形状であるである。子機３の左右一対の柱受け台３２２、３２２に設けられる溝３２２ｄも、親機２と同一の形状である。
【００８４】
親機２の柱受け台２２２と子機３の柱受け台３２２の溝形状は、スライド柱１０の上端部（上端嵌着部１３２ａ）及び下端部（下端嵌着部１３１ａ）のどちらでも保持することができる形状となっている。このため、親機２と子機２のケース形状を完全同一にすることができる。これにより、金型を共通化することができ、大幅なコストダウン効果を期待することができる。
【００８５】
スライド柱１３の固定子１３１とスライド子１３２は、入れ子の関係にある樹脂成形品（ピース）である。以下、右側に柱受け台２２２、３２２に嵌着されるスライド柱１３を例に説明する。左側の柱受け台２２２、３２２に嵌着されるスライド柱１３については、配向を前後に反転させれば同じであるので説明を省略する。
【００８６】
固定子１３１は、溝２２２ｄの外縁に嵌着される楕円筒であり、下端部は嵌着部１３１ａが形成される。楕円の短軸と交差する側面の一方の上端には、縦長のスリット１３１ｂが貫通している。
【００８７】
スライド子１３２は、溝３２２ａの内縁に嵌着される略楕円筒であり、上端部は溝３２２ａの内縁に嵌着される嵌着部１３２ａが形成され、下端部は圧縮バネ１３５が圧接する圧接部１３２ｂが形成されている。楕円の短軸と交差する側面の一方には、縦方向に延びて矩形に凹んだ凹所１３２ｄが形成されており、スライド子１３２の断面は略Ｃ字状となっている。楕円の短軸に交差する側面の両方には、縦長の長孔１３２ｃが貫通し、凹所１３２ｄに
【００８８】
固定子１３１とスライド子１３２は、固定子１３１の空洞部内面にスライド子１３２の外面を摺り合わせた状態で組み合わされる。組み合わされたスライド柱１３の断面の外形は流線形（楕円形）となるため、風量の低下を極力防ぎ、空調ダクト１８の本来の目的である冷房能力等に支障を来さないようにすることができる。
【００８９】
ストッパー１３３は、先端に係止部１３３ａを有するリベットである。係止部１３３ａは、スリット１３１ｂや長孔１３２ｂの幅と同程度の短径、かつ、該幅より大きな長径を有する楕円柱形である。ストッパー１３３は、スリット１３１ｂ、長孔１３２ｃに挿通された後、略９０°捻られて長孔１３２ｃから抜けないようにされる。そして、係止部１３３ａの端面が板バネ１３４の弾性片に押され、反対側の面で係止部１３３ａは長孔１３２ｃの周囲の壁面に圧接される。これによって、ストッパー１３３が係止され、スライド子１３２は固定止１３１に対して固定される。
【００９０】
板バネ１３４はヘアピン形状であり、固定止１３１の上端に掛止される。板バネ１３４の弾性片は、スライド子１３２の凹所１３２ｄに位置してストッパー１３３を介してスライド子１３２を左方へ付勢している。
【００９１】
圧縮バネ１３５は、固定子１３１が柱受け台２２２に嵌着された状態で、固定子１３１の空洞内に投下される。圧縮バネ１３５は、柱受け台２２２とスライド子１３２との間に位置してスライド子１３２を上方へ付勢している。
【００９２】
図１５（ａ）に示すように、ストッパー１３３を板バネ１３４の付勢に抗して指で押せば、ストッパー１３３の係止が解かれ、スライド子１３２は、ストッパー１３３が長孔１３２ｃ内を移動可能な範囲で固定子１３１に対してスライド可能となる。同時に図１５（ｂ）に示すように、圧縮バネ１３５によりスライド子１３２が上方へ付勢され、スライド柱１３の長さが自動的に伸びる。ストッパー１３３から指を離せば、板バネ１３４の力が働き再びスライド子１３２は再びスライド不能となる。これにより、空調ダクト１８の高さ寸法に合わせて子機３の高さ位置をその範囲内で可変できる。本実施形態では、それがストッパー１３３のワンプッシュで可能となるという利便性がある。
【００９３】
＜空調ダクト内への設置＞
空調ダクト用イオン発生装置１は、空調ダクト１８内に搬入する前に、あらかじめ各イオン発生装置ペアの組立及びイオン発生装置ペア間の配線を済ませておく。イオン発生装置ペア間を結合するスライド柱は、長さを最も短くしておく。
【００９４】
そして、空調ダクト１８の吹出口１８ａに取り付けられるディフューザ１９を取外し、吹出口１８ａから親機２−子機３、子機４−子機５、子機４'−子機５'、子機４''−子機５''の４つのイオン発生装置ペアを空調ダクト１８内に搬入し、通流方向に直交する方向に並べて配置する。なお、イオン発生装置ペアの数は一例であり、空調ダクト１８の横幅によってペアの数は調節される。
【００９５】
このとき、下段のイオン発生装置２、４、４'、４''は、ケース底面に張り付けられた両面テープＲの下面のフィルムを剥がし、イオン発生装置ペア間の間隔を一定にして空調ダクト１８の下壁内面に接着する。上段のイオン発生装置３、５、５'、５''は、空調ダクト１８の高さ寸法に合わせてスライド柱の長さ伸ばしてケース上面を空調ダクト１８の上壁内面に圧接させた状態で固定される。吹出口１８ａにディフューザ１９を取付ける際に、親機ケース及び子機ケースの前面側へ突出する舌片をディフーザ１９の後端に突き当てるようにすれば位置決めが可能である。
【００９６】
以上説明したように、空調ダクト用イオン発生装置１は、駆動回路を持つ親機２と駆動回路を持たない子機３、４、４'、５、５'に切り分け、配置の自由度の向上を図っている。よって、空調ダクト１８の吹出口からイオン発生装置を搬入して既存の空調ダクト内に簡単に設置できる。また、ＡＣ電源の数を増やすことなく、所望のイオン発生量を確保することができる。さらに、ホテル客室など内装が重視される場合でも、イオン発生装置が室内から見えず、美感を損なうことがない。
【００９７】
上記のようにして設置した空調ダクト用イオン発生装置１を運転すると、イオンの発生とともに子機３のケースに取付けられた反射板３９により、親機２と異なる高さでＬＥＤ２９の光が反射される。このため、ＬＥＤ２９の光を室内から視認しやすくなる。例えば、空調ダクト１８の吹出口１８ａが人の身長より高い位置にあって、親機２が空調ダクト１８内の下方に設置されたような場合でも、空調ダクト用イオン発生装置１の運転状態を室内から容易に視認する確認できる。
【００９８】
以上、本発明の実施形態を説明したが、本発明の技術思想は、上記の実施形態に限定されないことは言うまでもない。
【産業上の利用可能性】
【００９９】
本発明は、空調ダクト内に設置されるイオン発生装置に利用することができる。
【符号の説明】
【０１００】
１  空調ダクト用イオン発生装置
２  イオン発生装置親機
２１  親機ケース
３、４、４'、４''、５、５'、５''  イオン発生装置子機
３１  イオン発生装置子機３の子機ケース
４１  イオン発生装置子機４、４'、４''の子機ケース
５１  イオン発生装置子機５、５'、５''の子機ケース
２２２、３２２、４２２、５２２  柱受け台（柱保持部）
２２５、３２５、４２５、５２５  舌片
２２６、３２６、４２６、５２６  フック
２２２ａ、３２２ａ、４２２ａ、５２２ａ  溝（柱保持部）
２２２ｂ、２２２ｃ、２２２ｄ  溝の他の実施形態（保持部）
２８Ａ、３８Ａ、４６  入力端子
２８Ｂ、２８Ｃ、２８Ｄ、３８Ｂ、３８Ｃ、５６  出力端子
２４、３４、４４、５４  イオン発生素子
２４３、３４３、４４３、５４３  入力端子
２９  ＬＥＤ（運転表示ランプ）
３９  反射板
２２７  遮蔽板
６、７、８、４７、４８、５７、５８  ケーブル
６１、７１、８１、４７１、４８１、５７１、５８１  コネクタ
１０  スライド柱
１１、１２、１３  スライド柱の他の実施形態
【図１】
2010276311.tif 000003
【図２】
2010276311.tif 000004
【図３】
2010276311.tif 000005
【図４】
2010276311.tif 000006
【図５】
2010276311.tif 000007
【図６】
2010276311.tif 000008
【図７】
2010276311.tif 000009
【図８】
2010276311.tif 000010
【図９】
2010276311.tif 000011
【図１０】
2010276311.tif 000012
【図１１】
2010276311.tif 000013
【図１２】
2010276311.tif 000014
【図１３】
2010276311.tif 000015
【図１４】
2010276311.tif 000016
【図１５】
2010276311.tif 000017
【図１６】
2010276311.tif 000018